(57)【要約】【課題】  土台の上面に柱を据え付ける際に用い、柱の側面にドリフトピンを打ち込む必要がなく、美感の向上に寄与する締結金物を提供すること。【解決手段】  土台３２と柱３３との境界に挟み込まれるプレート１２と、このプレート１２から下方に突出して土台３２の上面の固定孔３７に差し込まれる下部シャフト１３と、プレート１２から上方に突出して柱３３の下面の位置決め穴３８に差し込まれる上部シャフト１４と、で締結金物１１を構成して、下部シャフト１３には、ドリフトピン２１を挿通させるための横孔１６を設けて、さらにプレート１２には、柱３３にねじ込むコーチスクリュー２２を挿通するため、複数の係止孔１７を設ける。このようにコーチスクリュー２２を使用して締結金物１１を柱３３に固定することで、柱３３の側面には穴などを加工する必要がなく、またピンなどを打ち込む必要もなく、室内からは柱３３の木目だけが視認でき、美感が向上する。【選択図】      図１
2011132778.tif 000002
【特許請求の範囲】
【請求項１】
土台（３２）と柱（３３）との境界に挟み込まれるプレート（１２）と、該プレート（１２）から下方に突出して土台（３２）上面の固定孔（３７）に差し込まれる下部シャフト（１３）と、前記プレート（１２）から上方に突出して柱（３３）下面の位置決め穴（３８）に差し込まれる上部シャフト（１４）と、からなり、
前記下部シャフト（１３）には、土台（３２）の側面に打ち込まれるドリフトピン（２１）を挿通するための横孔（１６）を備えており、且つ前記プレート（１２）には、柱（３３）の下面にねじ込まれるコーチスクリュー（２２）を挿通するための係止孔（１７）を複数備えていることを特徴とする締結金物。
【発明の詳細な説明】
【技術分野】
【０００１】
本発明は、土台の上面に柱を据え付ける際に用いる締結金物に関する。
【背景技術】
【０００２】
在来工法とも呼ばれる木造軸組工法は、柱や梁などの棒状の木材を組み合わせて建物の骨格を構築するもので、住宅などの建築方法として広く普及している。この工法は、建物の強度を確保するため、隣接する部材同士を強固に締結する必要があり、古くから部材にホゾや仕口を設けるなどの対策が講じられている。ただしホゾを加工することで断面欠損が生じるため、強度が低下する恐れがあるほか、加工精度が悪いと現地で調整作業が必要になるなど、幾つかの課題があり、最近では各種金物を使用して部材同士を締結することも多い。
【０００３】
締結金物を使用して柱を土台に据え付ける際の構成例を図６に示す。部材同士を締結する締結金物は、目的に応じて様々な種類が存在しているが、この図のものは、金属板をコの字状に折り曲げた二枚の羽板に円断面のシャフトを溶接した形状であり、シャフトは、土台の上面に加工された固定孔に差し込まれ、さらに土台の側面に打ち込まれたドリフトピンによって、シャフトと土台が一体化する。また羽板は、柱の下部に加工された二列のスリットに差し込まれ、さらに柱の側面に打ち込まれたドリフトピンによって、羽板と柱が一体化する。このように、締結金物とドリフトピンを介して土台と柱を一体化することで、地震などによる外力が作用した場合でも、柱が土台から離脱することはない。
【０００４】
土台に柱を据え付ける技術は、これまでにも様々な形態が開発されており、その例として以下の特許文献が挙げられる。文献１は、柱を高強度に固定することを目的としており、基礎と柱の間に固定金物を介在させている。固定金物は、土台の上面に載置されるベースプレートと、柱の下面に接触する支持プレートが、直立板を介して固定されている。また柱には、支持プレートから直立する取付プレートが差し込まれており、ドリフトピンによって柱と取付プレートが固定されている。次に文献２は、土台を挟んで基礎と柱を接合する際の施工性の改善を目的としており、基礎の上面に固定される下側接合具と、土台の中に差し込まれる上側接合具が、ネジによって着脱自在な構造になっており、現地での施工性に優れている。なお上側接合具の棒状接合部が柱の中に差し込まれており、ドリフトピンによって双方が一体化されている。
【先行技術文献】
【特許文献】
【０００５】
【特許文献１】特開２００２−１１５３３９号公報
【特許文献２】特開２００３−２１３７９９号公報
【発明の概要】
【発明が解決しようとする課題】
【０００６】
図６のように、締結金物を介して土台と柱を一体化する方法は、強度に優れ且つ現地での作業時間も短縮できるなど様々な利点がある。ただし図６に示す締結金物のほか、先の特許文献に開示された技術は、いずれも柱の側面にドリフトピンを打ち込んでおり、必然的にドリフトピンを打ち込むためのピン孔を柱に加工する必要がある。このピン孔は、建物が完成した際、壁やクロスなどで覆い隠され、室内から視認できないのが普通である。しかし和室については、伝統的に柱をそのまま見せることが多く、施工上の都合でピン孔やドリフトピンが室内から視認できる場合がある。
【０００７】
和室は自然な雰囲気を醸し出すため、木材や土壁や畳など天然由来のものが多数使用されており、本来ならば木目しか見えないはずの柱にドリフトピンが見えていると、居住者や来訪者に違和感を与える恐れがある。この点を解決するため、ドリフトピンを柱の内部に押し込んだ上、ピン孔の入り口に木材を詰め込むなどの対策を講じる場合がある。しかし詰め込まれた木材は、色彩や木目が周囲と微妙に異なることが多く、ピン孔の存在を完全に消し去ることは困難である。
【０００８】
本発明はこうした実情を基に開発されたもので、土台の上面に柱を据え付ける際に用い、柱の側面にドリフトピンを打ち込む必要がなく、美感の向上に寄与する締結金物の提供を目的としている。
【課題を解決するための手段】
【０００９】
前記の課題を解決するための請求項１記載の発明は、土台と柱との境界に挟み込まれるプレートと、該プレートから下方に突出して土台上面の固定孔に差し込まれる下部シャフトと、前記プレートから上方に突出して柱下面の位置決め穴に差し込まれる上部シャフトと、からなり、前記下部シャフトには、土台の側面に打ち込まれるドリフトピンを挿通するための横孔を備えており、且つ前記プレートには、柱の下面にねじ込まれるコーチスクリューを挿通するための係止孔を複数備えていることを特徴とする締結金物である。
【００１０】
本発明による締結金物は、柱を土台に据え付けるために使用され、プレートと下部シャフトと上部シャフトで構成される。プレートは、土台の上面と柱の下面との間に挟み込まれる金属板であり、締結される柱の断面にほぼ等しい矩形状、または柱の断面よりも小さい円盤状である。
【００１１】
下部シャフトは、プレートの下面中央から突出する円断面の金属棒であり、土台の上面に加工された固定孔に差し込まれる。固定孔は、土台の製材段階で柱の据え付け位置に加工され、その直径は下部シャフトと同じであり、しかも下部シャフトの全体を差し込めるだけの長さが必要である。また固定孔に差し込まれた下部シャフトは、ドリフトピンによって土台と一体化される。そのため下部シャフトの側周面には、ドリフトピンを挿通するための横孔が形成してあり、土台にも横孔と同心となる位置にあらかじめピン孔を加工しておく。
【００１２】
上部シャフトは、プレートの上面中央から突出する円断面の金属棒であり、柱の下面に加工された位置決め穴に差し込まれる。位置決め穴も、柱の製材段階で加工され、その直径は上部シャフトと同じであり、しかも上部シャフトの全体を差し込めるだけの長さが必要である。なお上部シャフトは、単に位置決め穴に差し込まれるだけであり、柱の引き抜きを防止する機能は備えていない。
【００１３】
下部シャフトと上部シャフトは、構造上、同心に揃える必要はなく、また直径が異なっていても構わない。しかし実際の製品はコスト等を考慮して、プレートの中心に一本のシャフトを突き刺した上、シャフトとプレートを溶接で一体化するのが普通で、プレートを境として一方の側が上部シャフトになり、もう一方の側が下部シャフトになる。なお下部シャフトには横孔が形成されているため、溶接の際はプレートとシャフトの位相を確認する必要がある。
【００１４】
コーチスクリューは、締結金物と柱を一体化するために使用され、プレートから柱の下面に向けてねじ込まれる。したがってプレートには、コーチスクリューを挿通するための係止孔が形成してある。当然ながら係止孔は、コーチスクリューのネジ部分だけが通過できる内径で、頭部は挿通できない。なお本発明で使用するコーチスクリューは、作業性を考慮して、ネジ部分の外径が最大でも１２ｍｍ程度を想定しており、一本だけでは強度を確保できない恐れがあり、係止孔は、等間隔で複数を形成する。実際の製品では、係止孔をできるだけ多数形成して、想定される引き抜き荷重に応じて使用するコーチスクリューの本数を調整する。そのほか、コーチスクリューの頭部をプレート内に収容するため、原則として係止孔の下面側には座グリ穴を設ける。
【００１５】
本発明品を用いて柱を据え付ける際は、まず柱の下面の位置決め穴に上部シャフトを差し込み、次に、プレートの係止孔から柱に向けてコーチスクリューをねじ込んで、プレートを柱の下面に密着させる。その後、土台の上面の固定孔に下部シャフトを差し込み、プレートを土台の上面に載置した後、土台の側面のピン孔にドリフトピンを打ち込み、土台と締結金物を一体化する。なおドリフトピンを打ち込むため、当然ながら土台のピン孔と下部シャフトの横孔は、同心に揃うよう配慮を要する。
【００１６】
このように、締結金物とドリフトピンとコーチスクリューを介して土台と柱を一体化することで、柱の側面には、ドリフトピンを打ち込むためのピン孔を加工する必要がない。そのため本発明品を利用して和室に配置される柱を据え付けると、柱の側面には木目だけ展開することになり、美感に優れている。
【００１７】
なおプレートは、土台の上面と柱の下面に挟み込まれるため、施工後もプレートの側面は外気にさらされることになる。そのため、使用環境によってはプレートの側面に結露が発生して、最悪の場合、土台や柱を腐食させる恐れがある。このような事態を防止するため、結露が予想される箇所では、プレートを円盤状として、さらに土台の上面または柱の下面に抜き穴を加工して、全体を土台や柱の中に埋め込むといった対策を講じる。
【発明の効果】
【００１８】
請求項１記載の発明のように、土台に差し込まれる下部シャフトと、柱に差し込まれる上部シャフトと、コーチスクリューを挿通する係止孔を有するプレートと、からなる締結金物を用いて、土台と柱を締結することで、ドリフトピンを打ち込むためのピン孔を柱の側面に加工する必要がない。したがって、この締結金物を和室の柱の据え付けに使用すると、柱の側面には穴やピンなどの異物が一切存在せず、室内から柱を見た場合、木目だけが視認可能で、美感を損ねることなく自然な雰囲気を醸し出し、居住者や来訪者の満足度を高めることができる。
【図面の簡単な説明】
【００１９】
【図１】本発明による締結金物の構成とその使用例を示す斜視図である。
【図２】図１に示す土台と柱を一体化した状態の斜視図である。
【図３】図２の状態の平面図と中央部の縦断面図である。
【図４】プレートが円盤状である締結金物の構成とその使用例を示す斜視図である。
【図５】図４に示す土台と柱を一体化した状態の斜視図と、その中央部の縦断面図である。
【図６】柱を土台に据え付ける際に用いる一般的な締結金物の形状例を示す斜視図である。
【発明を実施するための形態】
【００２０】
図１は、本発明による締結金物１１の構成とその使用例を示している。締結金物１１は、柱３３を土台３２に据え付けるために使用され、正方形状のプレート１２の中心に円断面のシャフトが串刺しされた形状で、プレート１２から上方に突出する側を上部シャフト１４、下方に突出する側を下部シャフト１３と称するものとする。なおプレート１２は、柱３３の横断面と同じ大きさであり、柱３３を据え付けた状態において、プレート１２が柱３３の側面から飛び出すことはない。
【００２１】
土台３２には、下部シャフト１３を差し込むための固定孔３７があけられている。固定孔３７は、設計図に基づいて柱３３の据え付け位置に加工され、土台３２の下面まで貫通しており、その直径は下部シャフト１３と等しい。したがって差し込みの際は、締結金物１１をカナヅチなどでたたけばよく、再度の削り込みは不要で、作業時間が長引くことはない。さらに下部シャフト１３と土台３２は、ドリフトピン２１を介して一体化される。下部シャフト１３には、ドリフトピン２１を挿通するための横孔１６が上下に二個形成され、対する土台３２の側面には、固定孔３７と交差して反対面に到達するピン孔３６が、所定の位置に二個加工されている。なお下部シャフト１３を土台３２に差し込んだ後、ドリフトピン２１を打ち込む際は、ピン孔３６と横孔１６を同心に揃えておく。ピン孔３６については、打ち込まれたドリフトピン２１が摩擦だけで保持可能な内径にする必要がある。
【００２２】
柱３３の下面中央には、上部シャフト１４を差し込むための位置決め穴３８があけられている。位置決め穴３８は、上部シャフト１４の全体を差し込み可能な深さが確保され、その直径は上部シャフト１４と等しい。したがって下部シャフト１３と同様、差し込み作業が長引くことはない。なお上部シャフト１４は柱３３に差し込まれるだけであり、そのままの状態では、柱３３は容易に引き抜き可能である。
【００２３】
締結金物１１と柱３３は、コーチスクリュー２２で一体化される。コーチスクリュー２２は一般の木ネジよりも大きめのもので、ネジ部分の外径が６ｍｍから１６ｍｍ程度のものが広く普及しており、通常は下孔を加工することなくねじ込みができる。本発明では柱３３の引き抜けを防止するため、ネジ部分の外径が１０ｍｍ程度のものを複数本使用する必要があり、プレート１２には、コーチスクリュー２２のネジ部分を挿通可能な係止孔１７を等間隔で六個形成してある。さらにプレート１２の下面側には、コーチスクリュー２２の頭部を収容するため、係止孔１７の内径を拡大した座グリ穴１８を形成している（図右上の上下反転させた締結金物１１を参照）。そのほかコーチスクリュー２２は、原則として全ての係止孔１７に差し込むが、荷重条件が緩い柱３３の場合、一部の差し込みを省略してもよい。
【００２４】
本発明による締結金物１１は、柱３３と基礎コンクリート３１を直接一体化することはできない。ただし土台３２は、アンカーボルト２５を介して基礎コンクリート３１と一体化しており、柱３３が基礎コンクリート３１から離脱することはない。アンカーボルト２５は、基礎コンクリート３１の上面から突出して土台３２の中を貫通しており、その先端に大径のワッシャ２７を差し込んでナット２６を締め上げると、土台３２は基礎コンクリート３１と一体化する。
【００２５】
図２は、図１に示す土台３２と柱３３を一体化した状態である。土台３２の上面にはプレート１２が載置され、また下部シャフト１３にはドリフトピン２１が打ち込まれており、締結金物１１は土台３２と一体化している。さらに上部シャフト１４は、柱３３の位置決め穴３８に差し込まれており、またプレート１２から柱３３に向けてコーチスクリュー２２がねじ込まれており、締結金物１１は柱３３とも一体化している。このように、土台３２の上面にはプレート１２の側面が見えているものの、柱３３の側面には、ピンなどを打ち込む必要がなく、木目だけが視認できる状態となり、柱３３を和室に用いた場合でも、自然な雰囲気を損ねることがない。なお施工の際は、まずプレート１２を柱３３の下面に接触させてコーチスクリュー２２をねじ込み、その後、下部シャフト１３を土台３２に差し込んでドリフトピン２１を打ち込む。
【００２６】
図３は、図２の状態の平面図と中央部の縦断面図である。土台３２に加工された固定孔３７は、上下面を貫通しており、ここに差し込まれる下部シャフト１３は、ドリフトピン２１が挿通されることを考慮して、土台３２の高さとほぼ等しい長さとなっている。対する柱３３の位置決め穴３８に差し込まれる上部シャフト１４は、柱３３が水平方向に移動しないよう拘束できればよいため、やや短くなっており、位置決め穴３８もこれに応じた深さとなっている。なおプレート１２は、金属板を切り出して製造され、また下部シャフト１３と上部シャフト１４は一本の金属製の丸棒であり、この丸棒をプレート１２に突き刺して双方を溶接で一体化している。
【００２７】
プレート１２から柱３３にねじ込まれるコーチスクリュー２２は、その頭部がプレート１２の座グリ穴１８に収容されており、土台３２とは接触していない。またコーチスクリュー２２は、強度を確保するため六本使用され、これを差し込むための係止孔１７が等間隔で形成してある。そのほか土台３２は、アンカーボルト２５を介して基礎コンクリート３１の上面に固定されている。基礎コンクリート３１の上面から突出するアンカーボルト２５は、土台３２に加工されたアンカー孔３５に差し込まれており、その先端にナット２６を螺合させている。なおナット２６の締め付けによる土台３２の変形を防止するため、ナット２６と土台３２の間にワッシャ２７を介在させている。
【００２８】
図４は、プレート１２が円盤状である締結金物１１の構成とその使用例を示している。図１のプレート１２は正方形状だが、本図のように円盤状とすることもある。プレート１２を矩形状とすると、図２のように施工後も土台３２と柱３３との境界にプレート１２の側面が露出して、温度変化で結露が発生することがある。そこで、プレート１２を柱３３の横断面よりも小さい円盤状として、柱３３の下面にプレート１２を収容する抜き穴３９を加工すると、プレート１２全体を柱３３の中に埋め込むことができる。なお抜き穴３９は、円断面以外の矩形断面でも構わないが、加工を考慮すると円断面が最適であり、またプレート１２は、コーチスクリュー２２を差し込むため、ある程度の面積が必要となり、抜き穴３９とほぼ等しい直径としている。
【００２９】
図５は、図４に示す土台３２と柱３３を一体化した状態と、その中央部の縦断面である。このように、プレート１２を含む締結金物１１の全体は、土台３２と柱３３の中に埋め込まれており、結露の発生を防止している。この形態は抜き穴３９を加工する手間が増えるものの、温度変化が激しい場所や、慢性的に湿度が高い場所で優れた効果を発揮して、建物の信頼性が向上する。なお抜き穴３９の深さとプレート１２の厚さを一致させることで、柱３３に作用する垂直荷重の一部は、プレート１２を介して土台３２に伝達していく。
【符号の説明】
【００３０】
１１  締結金物
１２  プレート
１３  下部シャフト
１４  上部シャフト
１６  横孔
１７  係止孔
１８  座グリ穴
２１  ドリフトピン
２２  コーチスクリュー
２５  アンカーボルト
２６  ナット
２７  ワッシャ
３１  基礎コンクリート
３２  土台
３３  柱
３５  アンカー孔
３６  ピン孔
３７  固定孔
３８  位置決め穴
３９  抜き穴
【図１】
2011132778.tif 000003
【図２】
2011132778.tif 000004
【図３】
2011132778.tif 000005
【図４】
2011132778.tif 000006
【図５】
2011132778.tif 000007
【図６】
2011132778.tif 000008